(57)【要約】【課題】  歩行者の支え歩きや伝い歩きに適したビーム手摺を提供する。【解決手段】  ビーム手摺Ａにおけるビーム２の断面形状を手握りに適した長軸と短軸の断面略卵型とする一方，該ビーム２の先太先端側を歩行者に向けて３０°程度上向き傾斜して，支柱１の上下に２段のビーム２を設置する。ビーム２の上面が歩行者側に上向きに傾斜するとともに奥行方向に幅広の幅広曲面をなすことによって，手に馴染んだビーム２の手握りを可能とし，歩行者の支え歩きに際して，該上向き傾斜した幅広曲面が身体の荷重を支え，握り手の奥行方向への回転可能性を確実に防止するとともに該歩行者の手に掛る荷重負担を軽減する一方，伝え歩きに際して同様に身体の揺動による握り手の回転可能性を防止して，躓き等に対しても身体を支持して，それぞれ安定した歩行を行うことができる。【選択図】  図３
2007262661.tif 000002
【特許請求の範囲】
【請求項１】
断面略卵型の握り形状をなすビームを形成し，該ビームの先太側先端を歩行者に向けて上向き傾斜してブラケットを介して支柱に配置してなることを特徴とするビーム手摺。
【請求項２】
上記ビームの断面長軸を４〜６ｃｍ，断面短軸を３〜５ｃｍの長さとしてなることを特徴とする請求項１に記載のビーム手摺。
【請求項３】
上記ビームの上向き傾斜を３０〜４０°の角度としてなることを特徴とする請求項１又は２に記載のビーム手摺。
【請求項４】
上記ブラケットを，ビームと略同幅にして支柱に向けて曲面スロープをなす正面略Ｖ字状とし且つその両側の先端をビーム下面に無段差に配置してなることを特徴とする請求項１，２又は３に記載のビーム手摺。
【発明の詳細な説明】
【技術分野】
【０００１】
本発明は住宅や公共施設の玄関や廊下，公園等に設置使用するビーム手摺に関する。
【背景技術】
【０００２】
この種ビーム手摺として，例えばアルミ鋳物製にして正面Ｖ字状をなすブラケットを，アルミ押出材製の支柱上端に固定し，該ブラケットを介して同じくアルミ押出材製のビームを設置したものが知られており，このとき該ビームは断面円形のパイプをなすものとされて，例えば玄関，公園，美術館における展示物との仕切り等として使用されている。
【０００３】
【特許文献１】意匠登録第９４０３６０号公報
【発明の開示】
【発明が解決しようとする課題】
【０００４】
この場合，デザインがシンプルにしてスマートで景観にマッチしたビーム手摺とすることができるが，該ビーム手摺によって歩行者，例えば老人，病人，障害者等が支え歩きや伝え歩きをするには必ずしも適当とはいえない。即ち支え歩きは，歩行者がビームを握って，握り手で身体の荷重をビームに掛け乍ら歩行し，また伝え歩きは，歩行者が同じくビームを握って，握り手でビームの案内によって歩行するが，ビームが上記断面円形のパイプをなすものとされるために，それ自体握り難いし，支え歩きの場合に身体の荷重によって握り手がビームの奥行方向，即ち歩行者と反対側に回転し易く，安定した手握りとこれによる安定した歩行が阻害される可能性が残され，また伝え歩きの場合も，歩行による身体の揺動によって握り手がビームの手前方向と奥行方向に回転し易く，例えば躓き等があったときに身体を支えられず，同様に安定した手握りと安定した歩行が妨げられる可能性が残されている。
【０００５】
更に上記正面Ｖ字状をなすブラケットは，一般にその水平の固定片をビームの下面に添設して下面からのネジによって固定されるために，上記支え歩き，伝え歩きの歩行者が支柱近傍に至ったとき，固定片，特にその先端の段差に握り手が触れるために違和感を感じさせ，違和感によって歩行を止めさせる原因にもなり，スムーズな歩行を阻害する可能性が残されている。
【０００６】
本発明はかかる事情に鑑みてなされたもので，その解決課題とするところは，優れたデザインを維持しつつ，特に支え歩き，伝え歩きに際して安定した手握りと安定した歩行を確保し得るようにしたビーム手摺を提供するにある。
【課題を解決するための手段】
【０００７】
上記課題に沿って本発明は，ビームの断面形状を手握りに適した楕円形，特に断面略卵型の握り形状とする一方，支柱に対して該ビームの先太先端側を歩行者に向けて上向き傾斜するように配置することにより，ビームの上面が歩行者側に上向きに傾斜するとともに奥行方向に幅広の幅広曲面をなすことによって，握り易く且つ手に馴染んだビームの手握りを可能とするとともに，歩行者の支え歩きに際して，該上向き傾斜した幅広曲面が身体の荷重を支え，握り手の奥行方向への回転可能性を確実に防止するとともに該歩行者の手に掛る荷重負担を軽減する一方，伝え歩きに際して同様に身体の揺動による握り手の回転可能性を防止して，躓き等に対しても身体を支持するようにし，これら支え歩き，伝え歩きの歩行者の安定した手握りと安定した歩行を可能としたものであって，即ち請求項１に記載の発明を，断面略卵型の握り形状をなすビームを形成し，該ビームの先太側先端を歩行者に向けて上向き傾斜してブラケットを介して支柱に配置してなることを特徴とするビーム手摺としたものである。
【０００８】
請求項２に記載の発明は，上記に加えて，上記断面略卵型としたビームを，その手握りの安定性を確保するに適した寸法とすることによって歩行の安定性を高度に確保し得るものとするように，これを，上記ビームの断面長軸を４〜６ｃｍ，断面短軸を３〜５ｃｍの長さとしてなることを特徴とする請求項１に記載のビーム手摺としたものである。
【０００９】
請求項３に記載の発明は，同じく上記に加えて，上記断面略卵型としたビームの手握りの安定性を確保するに適した傾斜角度とすることによって歩行の安定性を高度に確保し得るものとするように，これを，上記ビームの上向き傾斜を３０〜４０°の角度としてなることを特徴とする請求項１又は２に記載のビーム手摺としたものである。
【００１０】
請求項４に記載の発明は，同じく上記に加えて，支え歩きや伝え歩きに際して支柱近傍で歩行者の違和感を解消してスムーズにして安定した歩行をなし得るものとするように，これを，上記ブラケットを，ビームと略同幅にして支柱に向けて曲面スロープをなす正面略Ｖ字状とし且つその両側の先端をビーム下面に無段差に配置してなることを特徴とする請求項１，２又は３に記載のビーム手摺としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，ビームの断面形状を手握りに適した楕円形，特に断面略卵型の握り形状とする一方，支柱に対して該ビームの先太先端側を歩行者に向けて上向き傾斜するように配置することにより，ビームの上面が歩行者側に上向きに傾斜するとともに奥行方向に幅広の幅広曲面をなすことによって，握り易く且つ手に馴染んだビームの手握りを可能とするとともに，歩行者の支え歩きに際して，該上向き傾斜した幅広曲面が身体の荷重を支え，握り手の奥行方向への回転可能性を確実に防止するとともに該歩行者の手に掛る荷重負担を軽減する一方，伝え歩きに際して同様に身体の揺動による握り手の回転可能性を防止して，躓き等に対しても身体を支持するようにし，これら支え歩き，伝え歩きの歩行者の安定した手握りと安定した歩行を可能としたビーム手摺を提供することができる。
【００１３】
請求項２に記載の発明は，上記に加えて，上記断面略卵型としたビームの手握りの安定性を確保するに適した寸法とすることによって歩行の安定性を高度に確保し得るものとすることができる。
【００１４】
請求項３に記載の発明は，同じく上記に加えて，上記断面略卵型としたビームの手握りの安定性を確保するに適した傾斜角度とすることによって歩行の安定性を高度に確保し得るものとすることができる。
【００１５】
請求項４に記載の発明は，同じく上記に加えて，支え歩きや伝え歩きに際して支柱近傍で歩行者の違和感を解消してスムーズにして安定した歩行をなし得るものとすることができる。
【発明を実施するための最良の形態】
【００１６】
以下図面の例に従って本発明を更に具体的に説明すれば，図中Ａは，例えばアルミ押出材とアルミ鋳物を用いることによってアルミ製としたビーム手摺であり，該ビーム手摺Ａは，断面略卵型の握り形状をなすビーム２を形成し，ビーム２の先太側先端を歩行者に向けて上向き傾斜してブラケット３を介して支柱１に配置したものとしてあり，このとき図示したビーム手摺Ａは，上記支柱１上端に固定したブラケット３を介して上端のビーム２を設置するとともに支柱中間の持出しアーム１２先端にブラケット３を介して中間のビーム２を設置することによって支柱１の上端及び，例えば車椅子用中間の上下２段にビーム２を配置したものとしてある。
【００１７】
上記ビーム２は，単一又は複数のアルミ押出材を用いてこれを上記断面略卵型の形状に形成したものとしてあり，本例にあって該ビーム２は，上記ブラケット３に固定する長尺基材２１と，該長尺基材２１に嵌合固定する，例えば中空の長尺ビーム材２２の複数，特に２種類の押出材を用いて，これらを組合せることによって上記断面略卵型をなすようにしてある。長尺基材２１は，該断面略卵型の外周の数分の１の曲面をなし，長尺ビーム材２２はその余の曲面をなすようにそれぞれ押出成形するとともに該押出成形時に長尺基材２１の上面に嵌合凸部を，長尺ビーム材２２の下面に嵌合凹部をそれぞれ配置し，これら嵌合凸部と嵌合凹部を相互に嵌合して，例えば図示省略のネジを，長尺基材２１の下面から突出することのないようにその嵌合凸部から長尺ビーム材２２の嵌合凹部に螺入することによってこれらを所定間隔に固定して一体的にして長尺のビーム２としてある。このとき該ビーム２は，必要に応じて，その表面に粗面化による滑り止め措置を施したり，また図示したように樹脂の被覆層２３を形成し或いはコーティングや塗料の塗布を施して防汚性，遮熱性，摩擦による滑り止め性等を得ることができる。
【００１８】
このとき該ビーム２は，その上下２段の双方を同一寸法の共通断面形状にしてその断面長軸を４〜６ｃｍ，断面短軸を３〜５ｃｍの長さとしてあり，本例にあって該ビーム２の断面長軸は，例えばこれを略４．６ｃｍ，また断面短軸を略３．９ｃｍとしてある。これによって，例えば力を抜いて手を緩く握ったときの大人の手に合せた標準的な手握り寸法として，歩行者に違和感のない好ましい手の馴染みとこれによる歩行の安定性が得られるようにしてある。
【００１９】
ビーム２の上記長軸の長さは，該ビーム２を標準的な高さに設置するとき，４．５〜６ｃｍ，短軸の長さは３．５〜５ｃｍとするのがよく，このときこれら下限を下回るとビーム２が細く，同じく上限を上回るとビーム２が太くなって，いずれもビーム２を握る手に違和感を生じて歩行の安定性が損なわれる傾向が強くなる。特に長軸を４．５±０．３ｃｍ，短軸を４±０．３ｃｍの長さとするのが，支え歩きと伝い歩きを行うに際して安定した手握りと歩行の安定性を確保する上で好ましい。
【００２０】
このように形成したビーム２は，その支柱１への配置を，その略卵型の断面形状における先太側の先端を歩行者に向けて上向き傾斜するように，そのブラケット３による支持を行ってあり，このとき該上向き傾斜角度は，これを３０〜４０°の角度，本例にあっては，特にこれを３３°の角度としてあり，これによって断面略卵型の幅広曲面をビーム２の上面に露出するとともにその上向き傾斜をビーム２に対する歩行者の手の角度に無理なく馴染んで歩行者が握り易い角度としてある。ビーム２の上向き傾斜角度は，同じくビームを標準的な高さに設置するとき，上記３０〜４０°とするのがよく，その下限を下回り，また上限を上回るとビームに対する手の角度の許容範囲から外れて握り難く手握りの馴染みが得られなくなる。歩行者による手の握り易さとその馴染みのある握りを得る上で，上記上向き傾斜角度を３５±３°とするのが好ましい。
【００２１】
一方ブラケット３は，ビーム２と略同幅にして支柱に向けて曲面スロープをなす正面略Ｖ字状とし且つその先端をビーム２下面に無段差に配置したものとしてあり，本例にあって該ブラケット３は，ビーム２と略同幅の上向きに起立した基部３１と該基部３１の両側に張出し突設し，本例にあって張出し方向先端の肉厚を上記長尺基材２１の肉厚と略同等とした固定片３２とを備えるとともに該固定片３２の下面を基部３１から緩やかに湾曲した曲面スロープをなすものとして上記正面Ｖ字状に鋳造したアルミ鋳物製のものとしてあり，このとき該ブラケット３は，上記支柱１の上端と中間にそれぞれ共通のものを用いてビーム２を下支え支持したものとしてある。
【００２２】
本例にあって該ブラケット３は，支柱１の上端において該支柱１の先端に起立設置したブラケット受１１にその下端を固定し，また支柱１の中間において，支柱１に持出し状に固定した上向き傾斜又は上向き曲成の上記持出しアーム１２に同じくその下端を固定して設置してあり，このとき本例のこれらブラケット受１１及び持出しアーム１２と上記ブラケット３の固定は，それぞれ１／２前後幅の回動突起をヒンジとするように前後に対接しボルトナットを締着することによって行い，前後面をキャップで被覆することにより，ボルトナットの露出を防止するとともに平地と階段を含む傾斜地において回動突起を適宜に回動してブラケッ３トの角度を調整可能としてある。
【００２３】
ブラケット３によるビーム２の下支え支持の固定は，該ブラケット３の固定片３２をビーム２に埋込状にして固定片３２からのネジ止めによって行ってあり，このとき本例の埋込状の固定は，上記ビーム２の形成に当って，該ビーム２の支柱１配置位置でその長尺基材２１をブラケット３長さ分欠如することによって，該長尺基材２１の欠如部分にブラケット３を嵌め込み状にして直接に長尺ビーム材２２に，例えばその下面の嵌合凹部にネジ止めしてその下支え固定を行ったものとしてある。上記長尺基材２１の欠如は，本例にあってビーム２毎に予め長尺基材２１を切断した長さとして，支柱１位置を空けるように上記長尺ビーム材２２に長尺基材２１を固定することによって，これを行ってある。
【００２４】
以上のように形成したビーム手摺Ａは，上記ブラケット３の角度を調整可能としたことによって平地や傾斜地においてビーム２を地表の角度に合せて所定箇所に設置使用すればよく，このとき該ビーム手摺Ａは，そのビーム２の断面形状を手握りに適した楕円形，特に断面略卵型の握り形状とする一方，支柱１に対して該ビーム２の先太先端側を歩行者に向けて上向き傾斜するように配置することにより，ビーム２の上面が歩行者側に上向きに傾斜するとともに奥行方向に幅広の幅広曲面をなすことによって，手に馴染んだビーム２の手握りを可能とするとともに，歩行者がビーム２を握って，握り手で身体の荷重をビーム２に掛け乍ら歩行する支え歩きに際して，該上向き傾斜した幅広曲面が身体の荷重を支え，握り手の奥行方向への回転可能性を確実に防止するとともに該歩行者の手に掛る荷重負担を軽減する一方，歩行者が同じくビーム２を握って，握り手でビーム２の案内によって歩行する伝え歩きに際して同様に身体の揺動による握り手の回転可能性を防止して，躓き等に対しても身体を支持するようにし，これら支え歩き，伝え歩きの歩行者の安定した手握りと安定した歩行を可能とすることができ，また特にビーム２の断面長軸と短軸の長さ，上向き傾斜の角度を該支え歩き，伝え歩きに適したものとしたから，更に手握りと歩行の安定性を高度に確保することができる。
【００２５】
図示した例は以上のとおりとしたが，ビーム手摺を，支柱の上端に単一のビームを配置したものとし，上記中間のビームの配置を省略したものとすること，ビームを単一のアルミ押出材によって押出成形したものとすること，ブラケットのビーム下面への無段差の配置を，ブラケットの固定片先端を可及的に薄肉化することによって行い，また上記埋込状の固定をビーム又はその長尺部材に部分的な切欠加工を施すことによって行うこと等を含めて，本発明の実施に当って，ビーム手摺，ビーム，ブラケット，必要に応じて用いる持出しアーム等の各具体的形状，構造，材質，これらの関係，これらに対する付加等は，上記発明の要旨に反しない限り様々な形態のものとすることができる。
【図面の簡単な説明】
【００２６】
【図１】ビーム手摺の支柱部分の正面図である。
【図２】ビーム手摺の縦断面図である。
【図３】支え歩き用にビームを手握りした状態の縦断面図である。
【図４】伝え歩き用にビームを手握りした状態の縦断面図である。
【符号の説明】
【００２７】
Ａ  ビーム手摺
１  支柱
１１  ブラケット受
１２  持出しアーム
２  ビーム
２１  長尺基材
２２  長尺ビーム材
２３  被服層
３  ブラケット
３１  基部
３２  固定片
【図１】
2007262661.tif 000003
【図２】
2007262661.tif 000004
【図３】
2007262661.tif 000005
【図４】
2007262661.tif 000006